(57)【要約】【課題】レンズバリヤ装置において、バネ力量のバランス取りを不要にし、バリヤ羽根を円滑に、確実に開閉させる。【解決手段】ベース１０、ベースに支持され開口部を開閉するバリヤ羽根２０，３０、バリヤ羽根を開閉駆動する駆動リング５０、バリヤ羽根を開き駆動するように駆動リングに付勢力を及ぼす開きバネ８０等を備え、セーフティー機構として、ベース及び駆動リングに対して回動自在にかつバリヤ羽根に連結されて開閉駆動するように設けられた連動リング４０、バリヤ羽根を開き駆動させる方向において連動リングを一体的に移動させるように駆動リング５０に形成された係合部５６、バリヤ羽根を閉じ駆動させるように連動リング４０と駆動リング５０との間に付勢力を及ぼす閉じバネ７０を採用する。これにより、開きバネと閉じバネとのバランス取りが不要になり、確実な開閉動作が得られる。【選択図】  図２ 
2005181473.tif 000002
【特許請求の範囲】
【請求項１】
レンズの前方に配置されると共に開口部を画定するベースと、前記ベースに支持され前記開口部を開閉するバリヤ羽根と、前記バリヤ羽根を開閉駆動するように前記ベース上に設けられた駆動部材と、前記バリヤ羽根を開き駆動するように前記駆動部材に付勢力を及ぼす開きバネと、前記バリヤ羽根の閉じ動作を妨げる力に応じて開き動作を許容するセーフティー機構と、を備えていて、
前記セーフティー機構は、前記ベース及び駆動部材に対して相対的に移動可能にかつ前記バリヤ羽根に連結されて開閉駆動するように設けられた連動部材と、前記バリヤ羽根を開き駆動させる方向において前記連動部材に係合して一体的に移動させるように前記駆動部材に形成された係合部と、前記バリヤ羽根を閉じ駆動させるように前記駆動部材と前記連動部材との間に付勢力を及ぼす閉じバネと、
を有することを特徴とするレンズバリヤ装置。
【請求項２】
前記連動部材は、前記バリヤ羽根の一部に連結される連結部を有し，前記ベースに対して回動自在に支持された連動リングであり、
前記駆動部材は、前記係合部を有し，前記ベースと駆動リングとの間に回動自在に配置された駆動リングである、
ことを特徴とする請求項１記載のレンズバリヤ装置。
【請求項３】
前記駆動リングには、前記ベースから後方に向けて突出し，外力により前記バリヤ羽根を閉じ駆動するように作用するカム部が形成されている、
ことを特徴とする請求項２記載のレンズバリヤ装置。
【請求項４】
前記開きバネは、前記ベースと駆動リングとの間に張設された引張りバネであり、
前記閉じバネは、前記駆動リングと連動リングとの間に張設された引張りバネである、
ことを特徴とする請求項２又は３に記載のレンズバリヤ装置。
【請求項５】
前記バリヤ羽根は、前記ベース上において略点対称にかつ揺動自在に配置された一対のバリヤ羽根からなり、
前記ベースは、前記一対のバリヤ羽根を各々揺動自在に支持する一対の支軸を有し、
前記連動リングは、前記一対のバリヤ羽根に各々連結される一対の連結部を有する、
ことを特徴とする請求項１ないし３いずれかに記載のレンズバリヤ装置。
【発明の詳細な説明】
【技術分野】
【０００１】
本発明は、デジタルスチルカメラ、デジタルビデオカメラ等のカメラのレンズを保護するレンズバリヤ装置に関し、特に、バリヤ羽根の閉じ動作を妨げるような無理な外力が加わった際の破損等を防止するセーフティー機構を備えたレンズバリヤ装置に関する。
【背景技術】
【０００２】
カメラのレンズ前面を開閉する従来のレンズバリヤ装置としては、開口部を有するベース（バリヤ支持枠）、開口部を開閉するようにベースに対して揺動自在に支持された一対のバリヤ羽根、ベースに対して回動自在に支持され一対のバリヤ羽根の一部にそれぞれ係合するピンを有する駆動リング、一対のバリヤ羽根を開く方向に駆動リングを回転させる付勢力を及ぼすコイルバネ、一対のバリヤ羽根を閉じる方向に付勢するべく各々の支軸周りに配置された一対の捩りバネ等を備えたものが知られている。
【０００３】
このレンズバリヤ装置においては、カメラの使用時には、コイルバネの付勢力により駆動リングが開き方向に回転して一対のバリヤ羽根を開き状態に位置付け、一方、非使用時には、コイルバネの付勢力に抗しつつ、閉じ方向の回転力により駆動リングが閉じ方向に回転して、一対のバリヤ羽根を閉じ状態に位置付ける。
また、バリヤ羽根が、閉じ状態にあるとき又は閉じ動作を行う際に、開き方向に又は閉じ動作を妨げるような外力が加わると、捩りバネの付勢力に抗して一対のバリヤ羽根は開き動作を行う。すなわち、一対の捩りバネがセーフティー機構として機能するようになっている（例えば、特許文献１、特許文献２、特許文献３参照）。
【０００４】
【特許文献１】特開２００２−４０５１６号公報
【特許文献２】特開平５−２７３０１号公報
【特許文献３】特開平４−３５３８３３号公報
【発明の開示】
【発明が解決しようとする課題】
【０００５】
ところで、上記従来の装置においては、コイルバネは一対のバリヤ羽根を開き状態にするように付勢力を及ぼし、一方、一対の捩りバネは一対のバリヤ羽根を閉じ状態にするようにコイルバネと常時拮抗する状態で付勢力を及ぼすため、一対のバリヤ羽根に確実な開閉動作を行わせるには、コイルバネと一対の捩りバネとの付勢力のバランス取りが必要になる。
【０００６】
すなわち、一対の捩りバネの付勢力がコイルバネに比べて強過ぎると、カメラの使用時にコイルバネの付勢力で開き動作を行わせることができず、一方、一対の捩りバネの付勢力がコイルバネに比べて弱過ぎると、カメラの非使用時に一対のバリヤ羽根が閉じ動作を完全に行うことができなくなる。したがって、コイルバネと一対の捩りバネとの適度なバランス取りが必要であり、又、このバランス取りが面倒で、生産性の低下を招いていた。
【０００７】
本発明は、上記の事情に鑑みて成されたものであり、その目的とするところは、セーフティー機構を備えつつも、バネによる付勢力のバランス取りを必要とせず、バリヤ羽根に円滑で確実な開閉動作を行わせることができ、さらには、部品点数の削減、装置の小型化等を図れるレンズバリヤ装置を提供することにある。
【課題を解決するための手段】
【０００８】
本発明のレンズバリヤ装置は、レンズの前方に配置されると共に開口部を画定するベースと、ベースに支持され開口部を開閉するバリヤ羽根と、バリヤ羽根を開閉駆動するようにベース上に設けられた駆動部材と、バリヤ羽根を開き駆動するように駆動部材に付勢力を及ぼす開きバネと、バリヤ羽根の閉じ動作を妨げる力に応じて開き動作を許容するセーフティー機構とを備えていて、上記セーフティー機構は、ベース及び駆動部材に対して相対的に移動可能にかつバリヤ羽根に連結されて開閉駆動するように設けられた連動部材と、バリヤ羽根を開き駆動させる方向において連動部材に係合して一体的に移動させるように駆動部材に形成された係合部と、バリヤ羽根を閉じ駆動させるように駆動部材と連動部材との間に付勢力を及ぼす閉じバネと、を有することを特徴としている。
【０００９】
この構成によれば、開きバネの付勢力により駆動部材が移動すると、閉じバネによりガタ寄せされつつその係合部が連動部材を一体的に移動させ、連動部材に連結されたバリヤ羽根が開き駆動される。一方、開きバネの付勢力に抗して駆動部材が逆向きに移動させられると、閉じバネの付勢力により駆動部材と一体的に連動部材が移動し、連動部材に連結されたバリヤ羽根が閉じ駆動される。
また、バリヤ羽根の閉じ動作を妨げる、あるいは、閉じ状態にあるバリヤ羽根を開かせるような外力がバリヤ羽根に加わると、閉じバネの付勢力に抗しつつ、連動部材が駆動部材に対して相対的に移動し、バリヤ羽根の開き動作を許容するセーフティー作用が得られる。
このように、閉じバネの付勢力は、バリヤ羽根には直接作用せず、連動部材と駆動部材との間において作用し、開き動作においては、連動部材と駆動部材との間に係合部が介在することで、閉じバネは開きバネとは拮抗せず、開きバネの付勢力のみにより、バリヤ羽根は開き駆動されるため、開きバネと閉じバネとのバランス取りが不要である。それ故に、バリヤ羽根に確実な開閉動作を行わせることができ、又、バネ力量の設定等を容易に行うことができ、生産性を向上させることができる。
【００１０】
上記構成において、連動部材は、バリヤ羽根の一部に連結される連結部を有し，ベースに対して回動自在に支持された連動リングであり、駆動部材は、上記係合部を有し，ベースと連動リングとの間に回動自在に配置された駆動リングである、構成を採用することができる。
この構成によれば、駆動部材及び連動部材が、ベースに対して回動する環状（リング状）に形成されているため、両者の一体的な回転により開き駆動と閉じ駆動が行われ、駆動リングに対して連動リングが相対的に回転することにより、バリヤ羽根の閉じ動作を妨げる力に応じて開き動作を許容するセーフティー作用が得られる。このように、駆動部材及び連動部材が環状に形成されるため、部品を集約化でき、装置を小型化できる。
【００１１】
上記構成において、駆動リングには、ベースから後方に向けて突出し，外力によりバリヤ羽根を閉じ駆動するように作用するカム部が形成されている、構成を採用することができる。
この構成によれば、この装置がレンズ鏡胴等に適用された場合、沈胴動作によりカム部に外力が作用すると、駆動リングが開きバネの付勢力に抗して閉じ方向に回転し、閉じバネの付勢力により駆動リングと一体となって連動リングが閉じ方向に回転し、バリヤ羽根が閉じ動作を行う。したがって、従来のレンズ鏡筒に適用できる構成において、セーフティー機構を簡略化しつつ、バリヤ羽根に確実な開閉動作を行わせることができる。
【００１２】
上記構成において、開きバネは、ベースと駆動リングとの間に張設された引張りバネであり、閉じバネは、駆動リングと連動リングとの間に張設された引張りバネである、構成を採用することができる。
この構成によれば、開きバネ及び閉じバネは、共に引張りバネであるため、力量の設定が容易であり、又、ベースと駆動リングとの間及び駆動リングと連動リングとの間に、容易に配置することができる。
【００１３】
上記構成において、バリヤ羽根は、ベース上において略点対称にかつ揺動自在に配置された一対のバリヤ羽根からなり、ベースは、一対のバリヤ羽根を各々揺動自在に支持する一対の支軸を有し、連動リングは、一対のバリヤ羽根に各々連結される一対の連結部を有する、構成を採用することができる。
この構成によれば、駆動部材が移動（駆動リングが回動）すると、これと一体となって連動部材が移動（連動リングが回動）し、連動部材（連動リング）の駆動力が一対の連結部を介して一対のバリヤ羽根に伝達され、一対のバリヤ羽根が支軸周りに揺動し、お互いに協働して開口部を開閉する。このように、閉じ動作を妨げるような力が加えられ易い一対のバリヤ羽根を備える構造において、バネ力量を容易に設定できるセーフティー機構を提供することができる。
【発明の効果】
【００１４】
上記構成をなす本発明のレンズバリヤ装置によれば、駆動部材とベースとの間に作用する開きバネ、駆動部材と連動部材との間に作用する閉じバネ、開き動作の際に駆動部材に連動部材を連動させる係合部等を採用したことにより、閉じバネの付勢力は、バリヤ羽根に直接作用せずに駆動リングと連動リングとの間において作用し、開き動作においては、駆動部材と連動部材との間に介在する係合部が閉じバネと開きバネとを拮抗させずに、開きバネの付勢力のみによりバリヤ羽根が開き駆動されるため、開きバネと閉じバネのバランス取りが不要であり、バネ力量の設定等が容易になり生産性が向上する。また、バリヤ羽根の円滑な開閉動作を確保しつつ、部品点数を削減でき、装置の小型化等を達成できる。
【発明を実施するための最良の形態】
【００１５】
以下、本発明の最良の実施形態について、添付図面を参照しつつ説明する。
図１ないし図７は、本発明に係るレンズバリヤ装置の一実施形態を示すものであり、図１は装置の正面部及び側面図、図２は装置の分解斜視図、図３はベース及び駆動リング並びに連動リングを示す分解斜視図、図４は連動リング及び一対のバリヤ羽根を示す分解斜視図、図５はバリヤ羽根が開いた状態を示す正面図、図６はバリヤ羽根が閉じた状態を示す正面図、図７はセーフティー機構が作用してバリヤ羽根が開いた状態を示す正面図である。
【００１６】
このレンズバリヤ装置は、図１及び図２に示すように、開口部１０ａを画定するベース１０、ベース１０に対して揺動自在に設けられた一対のバリヤ羽根２０，３０、バリヤ羽根２０，３０を開閉駆動する駆動部材としての駆動リング５０、駆動リング５０に連動し得る連動部材としての連動リング４０、バリヤ羽根２０，３０を覆うようにベース１０に連結されると共に開口部６０ａを画定するカバー６０、駆動リング５０とベース１０との間に張設された開きバネ７０、連動リング４０と駆動リング５０との間に張設された閉じバネ８０等を備えている。
【００１７】
ベース１０は、樹脂材料を用いて、図２及び図３に示すように、円形状の開口部１０ａを画定するように環状に形成されており、その前面において、開口部１０ａの内周面を画定すると共に光軸方向Ｌの前方に向けて突出する円筒部１１、駆動リング５０を摺動自在に案内する環状の案内路１２、バリヤ羽根２０，３０を揺動自在に支持する一対の支軸１３，１４、開きバネ８０の一端８１を掛止するピン１５、円筒部１１の外周面から径方向外側に突出して形成された３つの規制片１１ａ、ベース１０を光軸方向Ｌに貫通する貫通孔１６、貫通孔１６の縁部近傍において光軸方向Ｌの前方に向けて突出しかつ貫通孔１６側に張り出すように形成された規制片１７、バリヤ羽根２０，３０の開き位置を規制するストッパ１８，１９等を備えている。
尚、ベース１０には、カバー６０をスナップフィットにより連結するための複数の突起（不図示）が設けられている。
【００１８】
駆動リング５０は、樹脂材料により薄板状でかつ略環状に形成されており、図２及び図３に示すように、ベース１０に対して摺動自在に支持される環状部５１、環状部５１から光軸方向Ｌの後方に向けて突出するカム部５２、開きバネ８０の他端８２を掛止する掛止片５３、ベース１０への組付け時に規制片１１ａを通す円弧状の３つの切り欠き部５４、切り欠き部５４の近傍に形成され連動リング４０を回動自在に保持し抜け落ちを規制する４つの規制片５５、連動リング４０の一部（後述する被係合部４７）に係合する係合部５６、閉じバネ７０の一端７１を掛止するピン５７、連動リング４０を摺動自在に案内する環状の案内路５８等を備えている。
【００１９】
ここで、カム部５２は、図１ないし図３に示すように、その先端側にカム面５２ａを有する。そして、このレンズバリヤ装置が、図１（ｂ）に示すように、例えば、カメラのレンズ鏡筒Ａの先端に取り付けられた場合、レンズ鏡筒Ａの沈胴動作に伴って、カメラ側に設けられた係合突起Ｂがカム面５２ａに係合することで、駆動部材５０がバリヤ羽根２０，３０を閉じ駆動する方向に回転するようになっている。
すなわち、カム部５２に対して光軸方向Ｌに作用する外力（押圧力）が加わることで、その外力がカム面５２ａのカム作用を介して光軸回りの回転力に変換され、Ｒ１方向（開き方向）に付勢する開きバネ８０の付勢力に抗して、駆動リング５０がＲ２方向（閉じ方向）に回転させられるようになっている。
【００２０】
連動リング４０は、樹脂材料により薄板状でかつ略環状に形成されており、図２ないし図４に示すように、駆動リング５０に対して摺動自在に支持される環状部４１、バリヤ羽根２０，３０の一部（後述する被連結部２２，３２）に連結されるべく環状部４１から径方向外側に突出すると共に略Ｕ字状に切り欠かれた一対の連結部４２，４３、閉じバネ７０の他端７２を掛止するピン４４、ベース１０への組付け時に規制片１１ａを通す円弧状の３つの切り欠き部４５、環状部４１の外周縁に形成され規制片５５により抜け落ちが規制される４つの被規制部４６及び切り欠き部４６ａ、閉じバネ７０の付勢力により係合部５６が係合する被係合部４７等を備えている。
【００２１】
バリヤ羽根２０は、樹脂材料により薄板状に形成されており、図２及び図４に示すように、ベース１０の支軸１３が通されて揺動自在に支持される被支持部２１、被支持部２１の近傍において円柱状に形成され連動リング４０の連結部４２が連結される被連結部２２、直線状をなす当接端面２３等を備えている。
【００２２】
バリヤ羽根３０は、樹脂材料により薄板状に形成されており、図２及び図４に示すように、ベース１０の支軸１４が通されて揺動自在に支持される被支持部３１、被支持部３１の近傍において円柱状に形成され連動リング４０の連結部４３が連結される被連結部３２、直線状をなす当接端面３３等を備えている。
【００２３】
ここで、一対のバリヤ羽根２０，３０は、ベース１０に対して略点対称に配置されて揺動自在となっており、連動リング４０の連結部４２，４３が連結される被連結部２２，３２が、被支持部２１，３１の近傍に設けられているため、連動リング４０の連結部４２，４３が及ぼす回転駆動力は、被支持部２１，３１から離れた領域には加わらず、バリヤ羽根２０，３０の曲げ、撓み等の変形が防止される。
【００２４】
カバー６０は、図１及び図２に示すように、樹脂材料により円板状に形成されており、その中央部に略矩形状の開口部６０ａ、外周縁から光軸方向Ｌの後方に向けて延出しベース１０の突起（不図示）にスナップフィットされる掛止片（不図示）、ベース１０の支軸１３，１４の先端部１３ａ，１４ａを通す２つの嵌合孔６０ｂ等を備えている。
すなわち、カバー６０は、ベース１０に結合されて、装置の外輪郭を画定すると同時にバリヤ羽根２０，３０を収容する羽根室を画定する。尚、カバー６０の開口部６０ａは、ベース１０の一部として、バリヤ羽根２０，３０により開閉される実質的な開口部をなすものである。
【００２５】
開きバネ８０は、図２及び図３に示すように、コイル状の引張りバネであり、駆動リング５０の周縁領域に配置されて、その一端８１がベース１０のピン１５に掛止され、その他端８２が駆動リング５０の掛止片５３に掛止されている。これにより、開きバネ８０は、駆動リング５０及び連動リング４０を介して、一対のバリヤ羽根２０，３０を開き方向に向けて常時付勢している。
【００２６】
閉じバネ７０は、図２及び図３に示すように、コイル状の引張りバネであり、駆動リング５０及び連動リング４０の周縁領域に配置されて、その一端７１が連動リング５０のピン５７に掛止され、その他端７２が連動リング４０のピン４４に掛止されている。これにより、閉じバネ７０は、駆動リング５０に対して連動リング４０をＲ２方向（一対のバリヤ羽根２０，３０を閉じ方向）に回転するように付勢し、駆動リング５０に対して連動リング４０をＲ１方向に相対的に回転させるような外力が加わらない限り、駆動リング５０の係合部５６を連動リング４０の被係合部４７に係合させた状態を保持する。
【００２７】
この装置の組付けにおいては、先ず、ベース１０に対して、切り欠き部５４を各々の規制片１１ａに位置合わせし、かつ、カム部５２を貫通孔１６に位置合わせした状態で、光軸方向Ｌの前方から駆動リング５０をベース１０に近づけ、環状部５１を円筒部１１に外嵌させると同時にカム部５２を貫通孔１６に挿通させる。
【００２８】
そして、駆動リング５０がベース１０の案内路１２に当接した時点で、駆動リング５０を所定角度だけ反時計回り（Ｒ１方向）に回転させ、ピン１５と掛止片５３との間に開きバネ８０を張設する。すると、規制片１１ａ及び規制片１７が、駆動リング５０の内縁部５１ａ及び外縁部５１ｂと摺動自在に係合して、駆動リング５０が光軸方向Ｌの前方に向けて抜け落ちるのを規制する。これにより、駆動リング５０はベース１０に対して所定の角度範囲を回動自在に組付けられた状態となる。
【００２９】
続いて、連動リング４０の切り欠き部４５をベース１０の各々の規制片１１ａに位置合わせし、かつ、被規制部４６の切り欠き部４６ａを規制片５５に位置合わせした状態で、光軸方向Ｌの前方から連動リング４０を駆動リング５０に近づけ、環状部４１を円筒部１１に外嵌させると同時に駆動リング５０の案内路５８に当接させる。
その後、連動リング４０を所定角度だけ時計回り（Ｒ２方向）に回転させ、係合部５６に被係合部４７を係合（当接）させる。そして、ピン５７と掛止片４４との間に閉じバネ７０を張設する。すると、閉じバネ７０により時計回り（Ｒ２方向）に回転付勢されつつ、連動リング４０は、被規制部４６が駆動リング５０の規制片５５と摺動自在に係合して、光軸方向Ｌの前方に向けての抜け落ちを規制されつつ、駆動リング５０に対して所定の角度範囲を相対的に回動自在に支持される。
【００３０】
続いて、光軸方向Ｌの前方からバリヤ羽根２０，３０をベース１０に近づけて、被支持部２１，３１にベース１０の支軸１３，１４を通すと共に、被連結部２２，３２を連動リング４０の連結部４２，４３に連結する。
その後、カバー６０を光軸方向Ｌの前方からベース１０に近づけて、嵌合孔６０ｂに支軸１３，１４の先端部１３ａ，１４ａを通すと共に、スナップフィットにより連結する。これにより、図１に示すようなレンズバリヤ装置の組付けが完了する。
【００３１】
上記構成をなす装置において、開きバネ８０は、駆動リング５０及び連動リング４０を介して、一対のバリヤ羽根２０，３０を開き駆動するように付勢力を及ぼし、閉じバネ７０は、バリヤ羽根２０，３０の閉じ動作を妨げるような外力あるいは閉じ位置から開き動作を行わせるような閉じ状態を妨げるような外力が作用した場合に、連動リング４０が駆動リング５０に対して相対的に反時計回り（Ｒ１方向）に回転するのを許容するものである。したがって、通常の開閉作動においては、閉じバネ７０の付勢力は、開閉駆動に作用せず、すなわち、開きバネ８０の付勢力と拮抗しない。
【００３２】
したがって、開きバネ８０は、カム部５２を介して及ぼされる閉じ駆動力により駆動リング５０が回転し得るバネ力量に設定され、一方、閉じバネ７０は、閉じ動作等を妨げる外力に応じてバリヤ羽根２０，３０の開き動作を許容し得るバネ力量に設定される。
すなわち、開きバネ８０と閉じバネ７０とのバネ力量は相互のバランス取りを行う必要がなく、適宜独立して設定され得るため、バネ力量の設定が容易であると共に、バランス取りの工程が不要になり生産性が向上する。
【００３３】
上記装置においては、駆動リング５０、バリヤ羽根２０，３０を開き駆動させる方向（Ｒ１方向）において連動リング４０を一体的に回転させるように駆動リング５０に形成された係合部５６、バリヤ羽根２０，３０を閉じ駆動させるように連動リング４０と駆動リング５０との間に張設された閉じバネ７０等により、バリヤ羽根２０，３０を開閉駆動する駆動機構の一部が構成されると共に、バリヤ羽根２０，３０の閉じ動作を妨げる力に応じて開き動作を許容するセーフティー機構が構成されている。
【００３４】
そして、駆動部材及び連動部材を、薄板の略環状をなす連動リング４０及び駆動リング５０として形成したことにより、ベース１０上を直線的に往復動するような駆動部材及び連動部材を採用する場合に比べて、装置の構成部品を開口部６０ａ，１０ａの周りに集約化でき、それ故に装置を、薄型化、小型化できる。
【００３５】
次に、この装置の動作について、図５ないし図７を参照しつつ説明する。尚、説明の便宜上、図５ないし図７ではカバー６０が省略され、開口部６０ａのみが二点鎖線で示されている。
先ず、駆動リング５０のカム部５２が、カメラ側の係合突起Ｂ等から押圧力（外力）を受けない使用時の状態においては、駆動リング５０は開きバネ８０により付勢されて反時計回り（Ｒ１方向）の回転端に位置し、又、係合部５６が被係合部４７を押すことで、連動リング４０は駆動リング５０と一体的に回転させられて、同じ回転端に位置する。
このとき、図５に示すように、一対のバリヤ羽根２０，３０は、ストッパ１８，１９に当接して、カバー６０の開口部６０ａを全開する開き位置に位置決めされている。
ここで、一対のバリヤ羽根２０，３０を開き状態に保持するのは、開きバネ８０の付勢力のみである。
【００３６】
この開き状態から、駆動リング５０のカム部５２がカメラ側の係合突起Ｂ等により押圧力（外力）を受けて、駆動リング５０が開きバネ８０の付勢力に抗しつつ、時計回り（Ｒ２方向）の回転端に位置付けられると、閉じバネ７０の付勢力により、連動リング４０も駆動リング５０と一体的に回転して時計回りの回転端に位置付けられる。
この回転動作により、一対のバリヤ羽根２０，３０は、閉じ駆動されて、図６に示すように、開口部６０ａを全閉する閉じ位置に位置決めされる。
【００３７】
この閉じ状態において、外部から一対のバリヤ羽根２０，３０を押し広げて開口部６０ａを開くような力が加えられると、その開き動作を許容するように、連動リング４０のみが閉じバネ７０の付勢力に抗しつつ、外力に応じた角度だけ反時計回り（Ｒ１方向）に回転する。すなわち、駆動リング５０は、カメラ側の係合突起Ｂに係合してその回転が拘束されているため、閉じ状態に対応する停止位置に保持され、連動リング４０のみが駆動リング５０に対して相対的に回転して、バリヤ羽根２０，３０の開き動作を許容することになる。これにより、一対のバリヤ羽根２０，３０は、図７に示すように、外力に応じた開き状態に保持され、装置に無理な力が加わるのを防止でき、装置の破損等を防止できる。
【００３８】
上記装置においては、従来のようにそれぞれのバリヤ羽根に直接付勢力を及ぼす複数の捩りバネを採用せず、連動リング４０と駆動リング５０との間に介在する閉じバネ７０、ベース１０と駆動リング５０との間に介在する開きバネ８０のみを採用したことにより、全体としてのバネの個数を減らすことができ、構造を簡略化でき、低コスト化できる。
【００３９】
上記実施形態においては、バリヤ羽根として一対のバリヤ羽根２０，３０を示したが、これに限定されるものではなく、１枚あるいは３枚以上のバリヤ羽根において本発明の構成を採用してもよい。
上記実施形態においては、駆動部材及び連動部材として、環状で回動自在な連動リング４０及び駆動リング５０を示したが、これに限定されるものではなく、直線的に往復動するスライダ等を採用してもよい。
上記実施形態においては、連動リング４０の連結部４２，４３を略Ｕ字状に形成し、バリヤ羽根２０，３０の被連結部２２，３２を円柱状（ピン）に形成したものを示したが、これに限定されるものではなく、それ以外の連結手法を採用してもよい。
【００４０】
上記実施形態においては、駆動リング５０に対して光軸方向Ｌに作用する外力を及ぼすものとして、カメラ側の係合突起Ｂ等を示したが、これに限定されるものではなく、操作者が駆動リング５０の一部を指で掴んで光軸方向の外力を及ぼす、あるいは、光軸回りの回転力を及ぼすことにより、駆動リング５０が光軸回りに回動するような構成において、本発明の構成を採用してもよい。
【産業上の利用可能性】
【００４１】
以上述べたように、本発明に係るレンズバリヤ装置は、レンズの前面に配置されてレンズを保護するものであれば、沈胴式のレンズ鏡筒を備えるカメラに限らず、その他のデジタルスチルカメラ、デジタルビデオカメラ、銀塩フィルム式カメラ等においても使用することができる。
【図面の簡単な説明】
【００４２】
【図１】本発明に係るレンズバリヤ装置の一実施形態を示すものであり、（ａ）は正面図、（ｂ）は側面図である。
【図２】図１に示すレンズバリヤ装置の分解斜視図である。
【図３】レンズバリヤ装置の一部をなすベース、駆動リング、連動リング等を示す分解斜視図である。
【図４】レンズバリヤ装置の一部をなす連動リング、一対のバリヤ羽根等を示す分解斜視図である。
【図５】使用時において、一対のバリヤ羽根が開口部を開いた状態を示す平面図である。
【図６】非使用時において、一対のバリヤ羽根が開口部を閉じた状態を示す平面図である。
【図７】非使用時において、閉じ状態を妨げる外力によりセーフティー機構が作用して、一対のバリヤ羽根が開かれた状態を示す平面図である。
【符号の説明】
【００４３】
Ｌ  光軸方向
Ｒ１  反時計回り（開き方向）
Ｒ２  時計回り（閉じ方向）
Ａ  カメラのレンズ鏡筒
Ｂ  係合突起
１０  ベース
１０ａ  開口部
１１  円筒部
１１ａ  規制片
１３，１４  一対の支軸
１５  ピン
２０，３０  一対のバリヤ羽根
２１，３１  被支持部
２２，３２  被連結部（バリヤ羽根の一部）
４０  連動リング（連動部材、セーフティー機構）
４１  環状部
４２，４３  一対の連結部
４４  ピン
４７  被係合部（セーフティー機構）
５０  駆動リング（駆動部材）
５１  環状部
５２  カム部
５３  掛止片
５６  係合部（セーフティー機構）
５７  ピン
６０  カバー
６０ａ  開口部
７０  閉じバネ（セーフティー機構）
８０  開きバネ
【図１】
2005181473.tif 000003
【図２】
2005181473.tif 000004
【図３】
2005181473.tif 000005
【図４】
2005181473.tif 000006
【図５】
2005181473.tif 000007
【図６】
2005181473.tif 000008
【図７】
2005181473.tif 000009